(57)【要約】【課題】  ユーザの行動に対して適切な録画予約などを行える録画再生装置を提供する。【解決手段】  ユーザがＳＮＳにおいて自分のアカウントに対して自分で書き込んだコメントなどを取得し、同コメントが行動のデータを表すものと考えられるので、同コメントからキーワードを作成し、さらにテーブル１４ｂを参照することで関連キーワードを抽出してより適切なキーワードへ拡充している。その後、番組表を取得して関連キーワードで番組を探索して予約することができる。【選択図】  図２
2015139107.tif 000002
【特許請求の範囲】
【請求項１】
テレビ放送を受信するチューナと、テレビ放送の内容を記録再生する記録手段と、作成された番組予約内容に基づいて前記チューナで受信して前記記録手段で録画させる録画制御手段とを備える録画再生装置であって、
行動のデータと関連キーワードとを関連づけたテーブルと、
ユーザの行動のデータを取得する行動データ取得手段と、
前記取得されたユーザの行動のデータを使用して前記テーブルを参照し、関連づけられた関連キーワードを取得するキーワード取得手段と、
各チャンネルの放送内容の情報を含む電子番組表を取得する番組表取得手段と、
前記番組表取得手段で取得された電子番組表から前記キーワード取得手段によって取得された関連キーワードに基づいて番組を探索し、探索された番組の番組予約内容を作成する番組予約手段とを具備することを特徴とする録画再生装置。
【請求項２】
前記行動データ取得手段は、所定のユーザデータに基づいてインターネット上のソーシャルネットワークへ接続し、既に書き込んだコメントを前記ユーザの行動のデータとして取得することを特徴とする請求項１に記載の録画再生装置。
【請求項３】
前記行動データ取得手段は、所定のユーザデータに基づいてソーシャルネットワークへ接続し、前記ユーザが他人のコメントに書き込みをした記録に基づいて、同コメントを前記ユーザの行動のデータとして取得することを特徴とする請求項２に記載の録画再生装置。
【請求項４】
前記行動データ取得手段は、前記コメントに付随する位置情報のデータを前記ユーザの行動のデータとして取得することを特徴とする請求項２または請求項３に記載の録画再生装置。
【請求項５】
前記行動データ取得手段は、前記ユーザのスケジュールデータに基づいて前記ユーザの行動のデータを取得することを特徴とする請求項１〜請求項４のいずれかに記載の録画再生装置。
【請求項６】
前記行動データ取得手段は、所定のユーザデータに基づいてインターネット上のスケジュール管理サイトへ接続し、同管理サイトで管理されている前記ユーザのスケジュールデータを前記ユーザの行動のデータを取得することを特徴とする請求項５に記載の録画再生装置。
【請求項７】
前記行動データ取得手段は、前記ユーザのスケジュールを管理する携帯端末から同スケジュールのデータを取得することを特徴とする請求項５に記載の録画再生装置。
【請求項８】
前記番組予約手段は、作成した番組予約の内容をスケジュールデータとして前記ユーザのスケジュールデータに加えることを特徴とする請求項５〜請求項７のいずれかに記載の録画再生装置。
【請求項９】
前記テーブルに含まれる行動のデータとキーワードとを関連づけを修正するテーブル修正手段を備えることを特徴とする請求項５〜請求項８のいずれかに記載の録画再生装置。
【請求項１０】
前記チューナは、複数のテレビ放送を個別に受信可能であり、指定された複数のチャンネルの放送内容を前記チューナで常時受信して前記記録手段で録画させる常時録画制御手段を備え、前記記録手段は、前記チューナで常時受信して録画された前記テレビ放送の内容を古いものから順に削除していくことを特徴とする請求項１〜請求項９のいずれかに記載の録画再生装置。
【発明の詳細な説明】
【技術分野】
【０００１】
本発明は、インターネットに接続して連携可能な録画再生装置に関する。
【背景技術】
【０００２】
近年、録画再生装置がインターネットに接続して連携可能となってきている。インターネットから情報を得て録画予約安番組を推奨する技術も開示されてきている。
特許文献１は、録画番組を見ている人に対しても、リアルタイム放送を見ている人と同じような感覚で、メッセージ状況を表示するコンテンツ録画再生システム及び方法に関する。特許文献１には、段落００１３と図２に、「メタ情報配信サーバー６やＳＮＳや番組サイト７上には、「番組後メタデータ（放送内容、放送時間ごとに細分されたあらすじ、出演者、お店情報など関連キーワードなど・・・録画再生装置１と、スマートフォンやタブレット端末等の無線端末３とはネットワークで接続」との開示がある。
【０００３】
特許文献２は、ユーザが特別な情報登録操作を行わないでも、当該ユーザの興味の対象と合致する番組情報からなる特定ユーザ向け番組ガイド情報を生成する番組情報処理装置、サーバ装置及び番組情報処理システムに関する。特許文献２には、段落００６８と図７に、「利用履歴情報６０に予定表情報が含まれている場合には、その予定表情報と適合する特定ユーザ興味対象キーワード」、段落００７７に、「照合用キーワードリスト７０には、上述のように、出演者名リスト７１、趣味・嗜好名リスト７２、地名リスト７３、ジャンル名リスト７４が含まれている」との開示がある。
【０００４】
特許文献３は、異なる放送エリアに移動したときに、変更が必要な予約番組の更新が行えると共に、変更が不要な予約番組や変更が正しく行えない予約番組について対処できる携帯端末及び携帯端末の番組予約変更プログラムに関する。特許文献３には、段落００９９と図１１に、「カレンダー画面には、図１１（Ａ）に示すように、スケジュールのあることを示す表示」、段落０１１１には「スケジュール情報から得られる移動日時と移動場所を用いて、移動先で、番組予約の変更処理を行っているが、移動前に、移動先の番組情報を取得して、番組予約の変更処理を行うことも可能」との開示がある。
【０００５】
特許文献４は、ユーザの現在又は将来の嗜好又は生活習慣に適応した番組推奨を行う番組推奨装置、番組推奨方法及びコンピューターに番組・・・に関する。特許文献４には、段落００２４と図１に、「番組録画履歴に含まれる番組に関するキーワード」、段落００２７〜段落００２８に、「推奨番組に決定された番組の録画予約を行う・・・ユーザスケジュール情報から抽出されたキーワードを用いて番組情報を検索し、当該キーワードを番組情報に含む番組を推奨番組に決定」との開示がある。
【０００６】
特許文献５は、簡単な構成で動画像の記録を予約する携帯情報端末、スケジュール管理プログラムおよびスケジュール管理方法に関する。特許文献５には、段落００７８と図３に、「録画予約部２１１と、スケジュール受付部２０１および録画予約部それぞれから出力される個人情報および稼動状態情報をスケジュール情報として記憶するスケジュール登録部２０３と、スケジュール情報を表示」との開示がある。
【先行技術文献】
【特許文献】
【０００７】
【特許文献１】特開２０１３−２０１６２６号公報
【特許文献２】特開２０１０−２０６５３４号公報
【特許文献３】特開２００９−１６５０７２号公報
【特許文献４】特開２００８−１１８４０８号公報
【特許文献５】特開２００５−２３６９１２号公報
【発明の概要】
【発明が解決しようとする課題】
【０００８】
各種の情報を得て録画予約安番組を推奨するような場合、キーワードが必ずしも的を得ているものとは限らない。また、キーワード自体に情報不足があることも多い。
上述した特許文献に示すものでは、これらの情報不足によって期待する処理が望めなかった。
本発明は、ユーザの行動に対して適切な録画予約などを行える録画再生装置を提供する。
【課題を解決するための手段】
【０００９】
本発明は、テレビ放送を受信するチューナと、テレビ放送の内容を記録再生する記録手段と、作成された番組予約内容に基づいて前記チューナで受信して前記記録手段で録画させる録画制御手段とを備える録画再生装置であって、行動のデータと関連キーワードとを関連づけたテーブルと、ユーザの行動のデータを取得する行動データ取得手段と、前記取得されたユーザの行動のデータを使用して前記テーブルを参照し、関連づけられた関連キーワードを取得するキーワード取得手段と、各チャンネルの放送内容の情報を含む電子番組表を取得する番組表取得手段と、前記番組表取得手段で取得された電子番組表から前記キーワード取得手段によって取得された関連キーワードに基づいて番組を探索し、探索された番組の番組予約内容を作成する番組予約手段とを具備する構成としてある。
【００１０】
前記構成において、番組予約内容が作成されると、録画制御手段は、作成された番組予約内容に基づいて前記チューナで受信して前記記録手段で録画させることができる。また、テーブルには行動のデータと関連する関連キーワードとを関連づけており、行動データ取得手段がユーザの行動のデータを取得すると、キーワード取得手段は前記取得されたユーザの行動のデータを使用して前記テーブルを参照し、関連づけられた関連キーワードを取得する。そして、番組表取得手段が各チャンネルの放送内容の情報を含む電子番組表を取得すると、番組予約手段は、前記番組表取得手段で取得された電子番組表から前記キーワード取得手段によって取得された関連キーワードに基づいて番組を探索し、探索された番組の番組予約内容を作成する。
【発明の効果】
【００１１】
本発明によれば、予め行動のデータに関連づけられている関連データを使用するので、よりその行動に沿った内容の番組を探索することができ、的を得た録画予約などを実現得きる。
【図面の簡単な説明】
【００１２】
【図１】本発明の録画再生装置のブロック図である。
【図２】録画再生装置がＳＮＳから行動の情報を得て録画予約するフローチャートである。
【図３】行動のキーワードと関連キーワードとを記憶するテーブルを表す図である。
【図４】録画再生装置がＳＮＳから行動の情報を得て再生を推奨するフローチャートである。
【図５】録画再生装置がＳＮＳから行動の情報を得て録画予約するフローチャートである。
【図６】行動に付随する位置情報と関連キーワードとを記憶するテーブルを表す図である。
【図７】録画再生装置がＳＮＳから行動に付随する位置情報を得て録画予約するフローチャートである。
【図８】録画再生装置がスケジュールから行動の情報を得て録画予約するフローチャートである。
【図９】録画再生装置がスケジュールから行動の情報を得て再生を推奨するフローチャートである。
【図１０】行動の情報と関連キーワードとの関連づけを修正するフローチャートである。
【図１１】行動の情報と関連キーワードとの関連づけを修正する際の画面表示例を示す図である。
【発明を実施するための形態】
【００１３】
（第一実施例）
図１は、本発明の一実施形態にかかる録画再生装置をブロック図により示している。
同図において、本録画再生装置１０は、六つのチューナ（デジタルチューナ）１１（１１ａ１〜１１ａ６）を備えている。各チューナ１１は、地デジチューナ、ＢＳチューナ、ＣＳチューナの機能を備えている。従って、同時に六つのテレビ放送を受信できる。各チューナ１１で受信して復調されエラー処理まで行われた復調信号はそれぞれ個別にデマルチプレクサ１２に入力されている。なお、図示していないがチューナ１１には復調器を含むものとする。
【００１４】
デマルチプレクサ１２は多重信号の分離を行うが、さらにＣＰＵやＲＯＭやＲＡＭを内蔵して所定のプログラムを実行し、各部を制御してテレビ放送の受信や録画および再生を行なうことが可能である。
マルチプレクサ１３は、録画時、受信したデジタル放送のコンテンツから録画に必要な情報を注出して再多重し、記録領域としてのＨＤＤ１４に記録させる。再生時は、デマルチプレクサ１２がＨＤＤ１４から直にデータを読み出す。
【００１５】
受信したデジタル放送のトランスポートストリームあるいはＨＤＤ１４から読み出されたデータはデコーダ１５に入力され、映像信号と音声信号とに分離され、デコードされる。デコードされた映像信号はドライバ１６に入力されてディスプレイパネル１７で映像として表示される。また、デコードされた音声信号はアンプ１８で増幅されてスピーカ１９から音声として出力される。
本録画再生装置１０に対する操作指示は、操作パネル２１を介してデマルチプレクサ１２が取得し、所定の制御に反映させる。また、リモコン２２を介する操作指示も同様に取得可能となっている。リモコン２２にはカーソルキー２２ａが備えられており、番組表でハイライト表示される番組の選択などに利用される。
【００１６】
本録画再生装置１０は、ネットワークインターフェイス２３を介してインターネット３０に接続可能となっている。インターネット３０には各種のＳＮＳ（ソーシャルネットワークシステム）４０やスケジュール管理サイト５０などが接続されており、デマルチプレクサ１２のＣＰＵはネットワークインターフェイス２３を介してインターネット３０に接続し、所定のログイン情報を用いてインターネット上のＳＮＳ４０やスケジュール管理サイト５０にログインし、所定の情報を得られるようになっている。また、ユーザがスマートフォンなどの携帯端末６０を所有している場合、ネットワークインターフェイス２３が無線ＬＡＮを介して同携帯端末６０と接続できるようになっている。
【００１７】
本実施例では、チューナ１１が複数のテレビ放送を個別に受信するチューナに相当し、ＨＤＤ１４がテレビ放送の内容を記録再生する記録手段に相当し、デマルチプレクサ１２が指定された複数のチャンネルの放送内容を前記チューナで常時受信して前記記録手段で録画させる常時録画制御手段に相当している。
ＨＤＤ１４は、テレビ放送の内容の記録に加え、番組情報１４ａや、キーワードと関連キーワードとを関連づけて記憶するテーブル１４ｂと、ＳＮＳやスケジュール管理サイトにログインするためのログイン情報（ユーザデータ）１４ｃも記録されている。
なお、本実施例では、タイムシフト機能で録画された番組から再生する番組を選択するとき、個別に録画リストを作成するのではなく、番組表の表形式で表示する。
【００１８】
図２は、録画再生装置がＳＮＳから行動の情報を得て録画予約する処理手順をフローチャートにより示している。
デマルチプレクサ１２のＣＰＵはネットワークインターフェイス２３を介してインターネット３０に接続後、ステップＳ１００にてＳＮＳ４０に接続し所定のログイン情報１４ｃを用いてユーザのアカウントにログインする。アカウントにログイン後、ステップＳ１０２では、自分の書き込みコメントを抽出する。本実施例では、ＳＮＳの種類はむろん問わないし、その名称にも特に限定されない。ネットワーク上で何らかのコミュニティが形成され、アカウントを持つことで日々の自分の行動を書き込む機能が含まれるようなものを指している。
【００１９】
自分の行動を書き込む機能があるので、ログインに使用したアカウントの所有者が書き込んだ情報を取得することはユーザの行動のデータを取得する行為に相当し、この処理が行動データ取得手段といえる。
ステップＳ１０４では、ユーザの行動のデータからキーワードを抽出する。行動のデータを文節に区切った上で助詞などを除けば概ねキーワードを抽出できる。形容詞や副詞も除去しても良い。キーワードの抽出の手法についても特に限定されるものではない。そして、ステップＳ１０６では、ＣＰＵは、各キーワードの関連キーワードをテーブル１４ｂから取得する。なお、ステップＳ１０６の処理が、キーワード取得手段に相当する。
【００２０】
図３は、行動のキーワードと関連キーワードとを記憶するテーブル１４ｂを図により示している。
後述するようにユーザの嗜好に沿う番組を探すためには番組情報をキーワードで探索する。しかし、ユーザの書き込み内容だけでは適切なものといえないことが多い。このため、予め行動の書き込みから得られるキーワードを拡充するためにも予め関連キーワードを関連づけている。
【００２１】
例えば、「有給」という行動の情報は得られても、有給には何をしたのか、有給であればどこに行くのかといった情報が不足しがちである。また、有給に関連づけるキーワードは人それぞれであり、その関連づけが固定的であるよりもフレキシブルな方が予測可能性の向上という面でも便利である。一方、有給の「意味」が反映されても仕方ない。図３の例を参照すれば、「有休」という行動のキーワードに対して、「旅行」、「お出かけ」、「グルメ」、「イベント情報」というように、関連キーワードを対応づけている。このような関連キーワードは、行動のキーワードとテレビ番組という観点から予め選別しておくと効果的である。
【００２２】
関連キーワードを取得したら、ＣＰＵは、ステップＳ１０８にて、ＥＰＧの番組情報から関連キーワードを含む番組を検索する。ＥＰＧや番組情報の取得については特に説明はしないが、一般的な手法で取得できる。このステップＳ１０８の処理が、各チャンネルの放送内容の情報を含む電子番組表を取得する番組表取得手段に相当する。
そして、ステップＳ１１０では、検索された番組を録画予約する（番組予約内容を作成して予約する処理に相当する）とともに、ステップＳ１１２にて録画予約するのに起因した関連キーワードを保存する。必ずしも保存しなければならないわけではないが、後述するようにテーブル１４ｂをより適切なものに改善していくために、使用した関連キーワードを保存しておくと便利である。ステップＳ１１０，ステップＳ１１２の処理が番組予約手段に相当する。
【００２３】
その後、携帯端末６０が接続されている場合は、ＣＰＵは、ステップＳ１１４にて、予約内容を携帯端末６０（スマートフォン）へスケジュールデータとして追加する。スケジュールデータとして追加する場合、録画再生装置１０の側ではｉＣａｌフォーマットなどへ変換し、追加処理を行うと便利である。
以上のように、本実施例では、ユーザがＳＮＳにおいて自分のアカウントに対して自分で書き込んだコメントなどを取得し、同コメントが行動のデータを表すものと考えられるので、同コメントからキーワードを作成し、さらにテーブル１４ｂを参照することで関連キーワードを抽出してより適切なキーワードへ拡充している。その後、番組表を取得して関連キーワードで番組を探索して予約することができる。
【００２４】
なお、以上のようにして番組録画予約をした場合、個別指定の録画予約とは記録領域を異ならせてもよい。例えば、ＨＤＤ１４内の常時録画の領域に記憶しておき、一定時間が経過したら古いものから録画番組を削除していく。このようにすることで、ユーザが見るかもしれない番組を自動的に録画する利便性を向上させつつ、見ない録画済み番組がたまっていってＨＤＤ１４の録画領域が必要以上に減ってしまうことを防止できる。
【００２５】
（第二実施例）
図４は、録画再生装置がＳＮＳから行動の情報を得て再生を推奨する処理手順をフローチャートにより示している。本実施例では、録画済みの番組の中からユーザの行動に沿う番組を推薦する。
ＣＰＵは、ステップＳ１２０にて、上述したのと同様にしてＳＮＳにログインし、ステップＳ１２２にて、自分が書き込んだコメントを抽出する。また、ステップＳ１２４では、ＣＰＵはステップＳ１０４と同様にキーワードを抽出し、ステップＳ１２６にて、各キーワードの関連キーワードをテーブル１４ｂから取得する。関連キーワードを得られたら、ＣＰＵは、ステップＳ１２８にて、録画済み番組リストの番組情報から関連キーワードを含む番組を検索する。ＨＤＤ１４には、テレビ放送を録画した録画済み番組が記録されているが、これに付随して番組情報１４ａも記録されているので、同番組情報１４ａを参照して関連キーワードが含まれるものを探索する。
【００２６】
ＣＰＵは、ステップＳ１３０にて、検索された番組を再生候補として表示し、ステップＳ１３２にて、選択操作を受け付ける。選択操作は、リモコン２２のカーソルキー２２ａなどで表示されている再生候補のハイライト表示を移動させ、選択したら図示しない選択キーを押せばよい。
選択キーが押されると、ＣＰＵは、ステップＳ１３４にて選択有りと判断し、ステップＳ１３６にて選択番組を再生するとともに、同番組を探索するのに使用された関連キーワードをステップＳ１３８にて保存する。このように選択した番組は、ユーザの嗜好に沿うものと考えられるから、再生された番組を探索するのに使用した関連キーワードを保存しておくと便利である。
【００２７】
以上のように、本実施例では、ユーザがＳＮＳにおいて自分のアカウントに対して自分で書き込んだコメントなどを取得し、同コメントからキーワードを作成し、さらにテーブル１４ｂを参照することで関連キーワードを抽出してより適切なキーワードへ拡充している。その後、録画済み番組リストの番組情報を取得して関連キーワードで番組を探索し、再生候補を抽出することができる。
【００２８】
（第三実施例）
図５は、録画再生装置がＳＮＳから行動の情報を得て録画予約する処理手順をフローチャートにより示している。
上述した実施例では、本人のアカウントに自分が書き込んだコメントを参照しているが、本実施例では、本人のコメントではなく友人（本人以外の他人に相当する）のコメントなどに応答した場合、そのコメントもユーザの嗜好を表すものとして利用する。
【００２９】
ＣＰＵは、ステップＳ１５０にて、ログイン情報１４ｃを利用してＳＮＳへログインする。そして、ステップＳ１５２にて、友達グループを取得する。友達グループはユーザが友達として登録している他のアカウント保持者を指している。ユーザがコメントに応答する方法として、他のアカウント保持者が書き込んだコメントに「いいね」をチェックする手法がよく知られている。この「いいね」で応答したコメント自体を抽出することができないので、「いいね」で応答している可能性が高い友達のコメントを調べていき、自分が応答しているコメントを抽出する。
【００３０】
このため、ＣＰＵは、取得した友達グループに含まれる各友達のアカウントへステップＳ１５４にてジャンプし、各コメントにおいて自分のアカウントの情報を付されているものが返答（いいね）したコメントであると認識し、ステップＳ１５６にて抽出する。コメントを取得できたら、ステップＳ１５８にて、ステップＳ１０４などと同様にキーワードを抽出する。これをステップＳ１６０にて全ての友達を終了したと判断されるまで各友達毎に繰り返す。
【００３１】
以後は、自分のコメントからキーワードを抽出した処理とほぼ同様であり、ＣＰＵは、ステップＳ１６２にて各キーワードの関連キーワードをテーブルから取得し、ステップＳ１６４にて、ＥＰＧの番組情報から関連キーワードを含む番組を検索し、ステップＳ１６６にて、検索された番組を録画予約する。
録画予約後、ＣＰＵは、ステップＳ１６８にて関連キーワードを保存するとともに、ステップＳ１７０では、予約内容を携帯端末６０（スマートフォン）へスケジュールデータとして追加する。
【００３２】
以上のように、本実施例では、ユーザがＳＮＳにおいて友達のアカウントに対して応答した（いいねを付した）コメントなどを取得し、同コメントがユーザの嗜好に沿う行動のデータを表すものと考えられるので、同コメントからキーワードを作成し、さらにテーブル１４ｂを参照することで関連キーワードを抽出してより適切なキーワードへ拡充し、番組表を取得して関連キーワードで番組を探索して予約することができる。
【００３３】
（第四実施例）
行動と、その場所とは、結びつきが深いと考えられる。どういった行動をどこでやるのかにより、その場所に関連する番組はユーザの興味を引くと考えられるからである。本実施例では、ユーザの行動のデータとして位置情報を利用する。
図６は、行動に付随する位置情報と関連キーワードとを記憶するテーブルを図により示している。なお、位置情報がテーブル１４ｂにおけるキーワードとなる。
【００３４】
地名の場合、周辺地名や内部の地名を関連キーワードとするのが効果的である。ある場所に赴くとしても、その場所だけでなく、周囲に足を伸ばすこともあるし、ある場所が県名であるなら、そこに含まれる市名も訪問する可能性が高いし、関連する可能性が高い。
含まれる市名として、「東京」がキーワードなら、関連キーワードは、東京都に含まれる「千代田区」、「中央区」、「港区」・・といった具合で関連づけられている。また、周辺地名として、「京都」がキーワードなら、周辺の「綾部市」、「宇治市」、「亀岡市」・・といった地名が関連づけられている。テーブル１４ｂは、このような位置情報をキーワードとして関連する地名を関連キーワードとして記録している。
【００３５】
図７は、録画再生装置がＳＮＳから行動に付随する位置情報を得て録画予約する処理手順をフローチャートにより示している。
位置情報はコメントに対して付随情報としてタグづけられていることが多い。書き込んだ際に、書き込んだＰＣや携帯端末６０が位置する場所がタグづけられるのである。本実施例では、そのような位置情報を利用する。
【００３６】
ＣＰＵは、ステップＳ１８０にて、ＳＮＳにログインし、ステップＳ１８２にて、自分で書き込んだコメントを検索する。ステップＳ１８４では、コメントから位置情報を抽出し、ステップＳ１８６では、位置情報に対する関連キーワードをテーブル１４ｂから取得する。位置情報の抽出は、ステップＳ１８８にて、全てのコメントについて終了したと判断されるまで行う。
ステップＳ１９０では、ＣＰＵは、ＥＰＧの番組情報から関連キーワードを含む番組を検索する。この場合、関連キーワードは地名である。番組情報にも地名が利用されているので、テーブル１４ｂを参照して拡充された位置情報を利用することにより、ユーザの行動に適切に、かつ、広く関連すると考えられる地名を抽出でき、これに基づいてより関連性の高いと思われる番組を検索することができる。
【００３７】
番組を検索後、ＣＰＵは、ステップＳ１９２にて、検索された番組を録画予約し、ステップＳ１９４にて、関連キーワードを保存し、ステップＳ１９６にて、予約内容を携帯端末６０（スマートフォン）へスケジュールデータとして追加する。
以上のように、本実施例では、ユーザがＳＮＳにおいて自分のアカウントに対して自分で書き込んだコメントに付随する位置情報を取得し、テーブル１４ｂを参照することで関連する地名（関連キーワード）を抽出し、周辺であったり内部の地名へと拡充している。その後、番組表を取得して関連キーワードで番組を探索して予約することができる。
【００３８】
（第五実施例）
上述した実施例では、ユーザの行動の情報を取得するためＳＮＳのコメントを利用しているが、本実施例では、予定表のデータから取得する。
図８は、録画再生装置がスケジュールから行動の情報を得て録画予約する処理手順をフローチャートにより示している。
ＣＰＵは、ステップＳ２００にて、スケジュールデータを取得する。スケジュールデータを取得する手法として、ＷＥＢサイトへログインして登録スケジュールデータを取得する手法や、スマートフォン（携帯端末６０）から登録スケジュールデータを取得する手法が可能である。ＷＥＢサイトへログインする場合は、ログイン情報１４ｃを使ってＳＮＳへログインするのと同様に行えばよい。ＷＥＢサイトから登録スケジュールデータを取得する場合も、スマートフォン（携帯端末６０）から登録スケジュールデータを取得する場合も、広く利用されているｉＣＡＬフォーマットなどに変換してから受け渡すことで、個別のフォーマットを気にすることなくデータを取得することが可能となる。
【００３９】
ステップＳ２０２では、ステップＳ１０４などと同様にして、スケジュールデータからキーワードを抽出する。スケジュールデータには、開始時と終了時のような時間を表す情報に加え、内容を表す情報が含まれているので、内容を表す情報の中からキーワードを抽出する。次に、ＣＰＵは、ステップＳ２０４にて、各キーワードの関連キーワードをテーブル１４ｂから取得する。
【００４０】
スケジュールデータの場合、未来の行動の予定であるから、テレビ放送は予習としての情報収集などに好適である。スケジュールデータで、「有給」と記載しておいたり「休日」と記載してある場合、「有給」取得予定日ではあるが何をするかは決まっていないという予定があると考えられる。自分でＳＮＳに書き込んだコメントと違い、予定の場合は内容が決まっていない書き込みも多いので、関連づけるキーワードも、このような観点で拡充する。図に示すように「有給」に対しては、有給休暇の日に何をしようかと考えるので、「旅行」、「お出かけ」、「グルメ」、「イベント情報」を関連キーワードとしておき、これらに関連する番組を探索できるようにしている。
【００４１】
そして、ＣＰＵは、ステップＳ２０６にて、ＥＰＧの番組情報から関連キーワードを含む番組を検索し、ステップＳ２０８にて検索された番組を録画予約する。録画予約したら、ＣＰＵは、ステップＳ２１０にて関連キーワードを保存したり、ステップＳ２１２にて、予約内容を携帯端末６０（スマートフォン）へスケジュールデータとして追加する。
【００４２】
（第六実施例）
図９は、録画再生装置がスケジュールから行動の情報を得て再生を推奨する処理手順をフローチャートにより示している。
本実施例では、スケジュールデータを利用して録画済み番組から推薦する番組を選択する。
ＣＰＵは、ステップＳ２２０にて、スケジュールデータを取得する。上述したように、スケジュール管理サイトへログインして登録スケジュールデータを取得しても良いし、スマートフォン（携帯端末６０）から登録スケジュールデータを取得しても良い。ステップＳ２２２では、ＣＰＵは、キーワードを抽出し、ステップＳ２２４にて、各キーワードの関連キーワードをテーブル１４ｂから取得する。
【００４３】
関連キーワードを取得したら、ステップＳ２２６では、録画済み番組リストの番組情報から関連キーワードを含む番組を検索し、ステップＳ２２８にて、検索された番組を再生候補として表示する。ステップＳ２３０では、ユーザによる選択操作を受け付け、ステップＳ２３２にて選択有り？と判断したら、ステップＳ２３４にて、選択された番組を再生し、ステップＳ２３６では、同番組を探索する際に使われた関連キーワードを保存する。
【００４４】
（第七実施例）
図１０は、行動の情報と関連キーワードとの関連づけを修正する処理手順をフローチャートにより示している。また、図１１は、行動の情報と関連キーワードとの関連づけを修正する際の画面表示例を図により示している。
関連キーワードは、固定的であるよりも、適宜、その内容を修正できれば、徐々にユーザの行動パターンに即したものへと近づけていける。本実施では、テーブル１４ｂに記録されているキーワードと関連キーワードとの対応付けを修正する。
【００４５】
ＣＰＵは、ステップＳ２５０にて、テーブル１４ｂを読み込む。また、ステップＳ２５２では、保存された関連キーワードを読み込む。録画予約した際には、関連キーワードを保存してあり、番組を再生したときにも、関連キーワードを保存してある。前者は予測した番組であって実際にはユーザの思考や行動パターンと一致していないことも考えられるが、後者はユーザが数ある番組の中から選択したものであるからユーザの思考や行動パターンと一致していることが多いと考えられる。これらを表示しつつ、実際のキーワードと関連キーワードとの対応付けをユーザが修正できるように、ＣＰＵは、ステップＳ２５４にて、関連キーワードの編集画面を表示し、ステップＳ２５６では、修正操作を受け付ける。なお、ステップＳ２５０〜ステップＳ２５６の処理が、テーブル修正手段に相当する。
【００４６】
図１１に示すように、編集画面には、「キーワード」、「関連キーワード」、「録画時保存の関連キーワード」、「再生時保存の関連キーワード」という項目名の下に、キーワードが表示される。録画時保存の関連キーワードは、それぞれステップＳ１１２，ステップＳ１６８，ステップＳ１９４，ステップＳ２１０にて保存されていた関連キーワードの一覧であり、実際に使用された関連キーワードが表示される。また、再生時保存の関連キーワードは、ステップＳ１３８，ステップＳ２３６にて保存されていた関連キーワードの一覧である。
【００４７】
ユーザは、録画時や再生時に使用された関連キーワードを見て、自分の行動パターンや嗜好に必要な関連キーワードを取捨選択する目安とすることができる。また、自分で追加したいものがあれば、追加すればよい。編集には、カーソルキー２２ａに加え、ＯＫキー、キャンセルキー、削除キー、追加キーなどにはリモコン２２上の図示していない４色の色分けボタンを割り当てており、それぞれの色分けボタンで各操作を実現できるようにしている。
編集操作を受け付け、ステップＳ２５８にて、修正完了と判断されたら、修正操作が完了したものとして終了する。
【００４８】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００４９】
１１，１１ａ１〜１１ａ６…チューナ、１２…デマルチプレクサ、１３…マルチプレクサ、１４…ＨＤＤ、１４ａ…番組情報、１４ｂ…テーブル、１４ｃ…ログイン情報（ユーザデータ）、１５…デコーダ、１６…ドライバ、１７…ディスプレイパネル、１８…アンプ、１９…スピーカ、２１…操作パネル、２２…リモコン、２２ａ…カーソルキー、２３…ネットワークインターフェイス、３０…インターネット、４０…ＳＮＳ（ソーシャルネットワークシステム）、５０…スケジュール管理サイト、６０…携帯端末（スマートフォン）。
【図１】
2015139107.tif 000003
【図２】
2015139107.tif 000004
【図３】
2015139107.tif 000005
【図４】
2015139107.tif 000006
【図５】
2015139107.tif 000007
【図６】
2015139107.tif 000008
【図７】
2015139107.tif 000009
【図８】
2015139107.tif 000010
【図９】
2015139107.tif 000011
【図１０】
2015139107.tif 000012
【図１１】
2015139107.tif 000013